【手続補正書】
【提出日】平成18年3月6日(2006.3.6)
【手続補正１】
【補正対象書類名】明細書
【補正対象項目名】特許請求の範囲
【補正方法】変更
【補正の内容】
【特許請求の範囲】
【請求項１】  ユーザの指示に従って、画像の配置位置を示す少なくとも１つの枠をプレビューウィンドウ上に表示し、当該枠に対して複数の編集処理を対応付け、画像を選択するときの選択条件を決定するステップと、
前記配置位置の情報と前記枠に対応付けられた編集処理の情報と前記選択条件の情報とを、１つの識別子に対応付けて登録するステップと、
登録されている複数の識別子をメニュー表示するステップと、
前記メニュー表示された複数の識別子の中から、ユーザの選択指示に基づいて、ユーザ所望の識別子を特定するステップと、
当該特定されたユーザ所望の識別子に対応づけて登録されている配置位置の情報と編集処理の情報と選択条件の情報とを呼び出し、当該呼び出した情報に基づく処理を画像に対して実行するステップと
を、画像処理装置が実行するように制御することを特徴とする画像処理方法。
【請求項２】  前記識別子はレイアウト名称であり、
前記メニュー表示するステップでは、登録されている複数のレイアウト名称がプルダウンメニューで表示されることを特徴とする請求項１に記載の画像処理方法。
【請求項３】  前記編集処理は、画像の回転、拡大、縮小、輝度の変更、コントラストの変更、アスペクト比の指定、トリミング、鏡像反転とのうちの少なくともいずれかを含むことを特徴とする請求項１に記載の画像処理方法。
【請求項４】  前記選択条件を決定するステップでは、予め登録されている複数の選択条件の中からユーザの指示に基づいてユーザ所望の選択条件を決定することを特徴とする請求項１に記載の画像処理方法。
【請求項５】  前記選択条件は、前記画像の格納順を基準とした条件であることを特徴とする請求項４に記載の画像処理方法。
【請求項６】  画像を選択するときの選択条件が決定されずに登録指示がなされた場合、前記登録ステップでは、前記配置位置の情報と前記枠に対応付けられた編集処理の情報とを、１つの識別子に対応付けて登録し、
前記特定ステップにおいて、前記選択条件が対応付けられていない識別子が特定された場合、前記実行ステップでは、当該識別子に対応付けて登録されている配置位置の情報と編集処理の情報とを呼び出し、当該呼び出した情報に基づく処理を、ユーザにより選択された画像に対して実行することを特徴とする請求項１に記載の画像処理方法。
【請求項７】  ユーザの指示に従って、画像の配置位置を示す少なくとも１つの枠をプレビューウィンドウ上に表示し、当該各枠に対して対応付ける複数の編集処理を決定するステップと、
前記配置位置の情報と前記各枠に対応付けられた編集処理の情報とを、１つの識別子に対応付けて登録するステップと、
登録されている複数の識別子をメニュー表示するステップと、
前記メニュー表示された複数の識別子の中から、ユーザの選択指示に基づいて、ユーザ所望の識別子を特定するステップと、
ユーザの指示に基づいて、対象画像を選択するステップと、
当該特定されたユーザ所望の識別子に対応づけて登録されている配置位置の情報と編集処理の情報とを呼び出し、当該呼び出した情報に基づく処理を、前記ユーザの指示に基づいて選択された対象画像に対して実行するステップと
を、画像処理装置が実行するように制御することを特徴とする画像処理方法。
【請求項８】  ユーザの指示に従って、画像の配置位置を示す少なくとも１つの枠をプレビューウィンドウ上に表示し、当該枠に対して複数の編集処理を対応付け、画像を選択するときの選択条件を決定する手段と、
前記配置位置の情報と前記枠に対応付けられた編集処理の情報と前記選択条件の情報とを、１つの識別子に対応付けて登録する手段と、
登録されている複数の識別子をメニュー表示する手段と、
前記メニュー表示された複数の識別子の中から、ユーザの選択指示に基づいて、ユーザ所望の識別子を特定する手段と、
当該特定されたユーザ所望の識別子に対応づけて登録されている配置位置の情報と編集処理の情報と選択条件の情報とを呼び出し、当該呼び出した情報に基づく処理を画像に対して実行する手段と、
を有することを特徴とする画像処理装置。
【請求項９】  ユーザの指示に従って、画像の配置位置を示す少なくとも１つの枠をプレビューウィンドウ上に表示し、当該各枠に対して対応付ける複数の編集処理を決定する手段と、
前記配置位置の情報と前記各枠に対応付けられた編集処理の情報とを、１つの識別子に対応付けて登録する手段と、
登録されている複数の識別子をメニュー表示する手段と、
前記メニュー表示された複数の識別子の中から、ユーザの選択指示に基づいて、ユーザ所望の識別子を特定する手段と、
ユーザの指示に基づいて、対象画像を選択する手段と、
当該特定されたユーザ所望の識別子に対応づけて登録されている配置位置の情報と編集処理の情報とを呼び出し、当該呼び出した情報に基づく処理を、前記ユーザの指示に基づいて選択された対象画像に対して実行する手段と、
を有することを特徴とする画像処理装置。
【請求項１０】  ユーザの指示に従って、画像の配置位置を示す少なくとも１つの枠をプレビューウィンドウ上に表示し、当該枠に対して複数の編集処理を対応付け、画像を選択するときの選択条件を決定するステップと、
前記配置位置の情報と前記枠に対応付けられた編集処理の情報と前記選択条件の情報とを、１つの識別子に対応付けて登録するステップと、
登録されている複数の識別子をメニュー表示するステップと、
前記メニュー表示された複数の識別子の中から、ユーザの選択指示に基づいて、ユーザ所望の識別子を特定するステップと、
当該特定されたユーザ所望の識別子に対応づけて登録されている配置位置の情報と編集処理の情報と選択条件の情報とを呼び出し、当該呼び出した情報に基づく処理を画像に対して実行するステップと、
の各ステップをコンピュータに実行させるためのプログラムを格納した、コンピュータ読取可能な記憶媒体。
【請求項１１】  ユーザの指示に従って、画像の配置位置を示す少なくとも１つの枠をプレビューウィンドウ上に表示し、当該各枠に対して対応付ける複数の編集処理を決定するステップと、
前記配置位置の情報と前記各枠に対応付けられた編集処理の情報とを、１つの識別子に対応付けて登録するステップと、
登録されている複数の識別子をメニュー表示するステップと、
前記メニュー表示された複数の識別子の中から、ユーザの選択指示に基づいて、ユーザ所望の識別子を特定するステップと、
ユーザの指示に基づいて、対象画像を選択するステップと、
当該特定されたユーザ所望の識別子に対応づけて登録されている配置位置の情報と編集処理の情報とを呼び出し、当該呼び出した情報に基づく処理を、前記ユーザの指示に基づいて選択された対象画像に対して実行するステップと、
の各ステップをコンピュータに実行させるためのプログラムを格納した、コンピュータ読取可能な記憶媒体。
【手続補正２】
【補正対象書類名】明細書
【補正対象項目名】０００９
【補正方法】変更
【補正の内容】
【０００９】
【課題を解決するための手段】
上記課題を解決するために、本発明の画像処理方法は、ユーザの指示に従って、画像の配置位置を示す少なくとも１つの枠をプレビューウィンドウ上に表示し、当該枠に対して複数の編集処理を対応付け、画像を選択するときの選択条件を決定するステップと、前記配置位置の情報と前記枠に対応付けられた編集処理の情報と前記選択条件の情報とを、１つの識別子に対応付けて登録するステップと、登録されている複数の識別子をメニュー表示するステップと、前記メニュー表示された複数の識別子の中から、ユーザの選択指示に基づいて、ユーザ所望の識別子を特定するステップと、当該特定されたユーザ所望の識別子に対応づけて登録されている配置位置の情報と編集処理の情報と選択条件の情報とを呼び出し、当該呼び出した情報に基づく処理を画像に対して実行するステップとを、画像処理装置が実行するように制御する。
【手続補正３】
【補正対象書類名】明細書
【補正対象項目名】００１０
【補正方法】変更
【補正の内容】
【００１０】
上記課題を解決するために、本発明の画像処理方法は、ユーザの指示に従って、画像の配置位置を示す少なくとも１つの枠をプレビューウィンドウ上に表示し、当該各枠に対して対応付ける複数の編集処理を決定するステップと、前記配置位置の情報と前記各枠に対応付けられた編集処理の情報とを、１つの識別子に対応付けて登録するステップと、登録されている複数の識別子をメニュー表示するステップと、前記メニュー表示された複数の識別子の中から、ユーザの選択指示に基づいて、ユーザ所望の識別子を特定するステップと、ユーザの指示に基づいて、対象画像を選択するステップと、当該特定されたユーザ所望の識別子に対応づけて登録されている配置位置の情報と編集処理の情報とを呼び出し、当該呼び出した情報に基づく処理を、前記ユーザの指示に基づいて選択された対象画像に対して実行するステップとを、画像処理装置が実行するように制御する。
【手続補正４】
【補正対象書類名】明細書
【補正対象項目名】００１１
【補正方法】変更
【補正の内容】
【００１１】
上記課題を解決するために、本発明の画像処理装置は、ユーザの指示に従って、画像の配置位置を示す少なくとも１つの枠をプレビューウィンドウ上に表示し、当該枠に対して複数の編集処理を対応付け、画像を選択するときの選択条件を決定する手段と、前記配置位置の情報と前記枠に対応付けられた編集処理の情報と前記選択条件の情報とを、１つの識別子に対応付けて登録する手段と、登録されている複数の識別子をメニュー表示する手段と、前記メニュー表示された複数の識別子の中から、ユーザの選択指示に基づいて、ユーザ所望の識別子を特定する手段と、当該特定されたユーザ所望の識別子に対応づけて登録されている配置位置の情報と編集処理の情報と選択条件の情報とを呼び出し、当該呼び出した情報に基づく処理を画像に対して実行する手段と、を有することを特徴とする。
【手続補正５】
【補正対象書類名】明細書
【補正対象項目名】００１２
【補正方法】変更
【補正の内容】
【００１２】
上記課題を解決するために、本発明の画像処理装置は、ユーザの指示に従って、画像の配置位置を示す少なくとも１つの枠をプレビューウィンドウ上に表示し、当該各枠に対して対応付ける複数の編集処理を決定する手段と、前記配置位置の情報と前記各枠に対応付けられた編集処理の情報とを、１つの識別子に対応付けて登録する手段と、登録されている複数の識別子をメニュー表示する手段と、前記メニュー表示された複数の識別子の中から、ユーザの選択指示に基づいて、ユーザ所望の識別子を特定する手段と、ユーザの指示に基づいて、対象画像を選択する手段と、当該特定されたユーザ所望の識別子に対応づけて登録されている配置位置の情報と編集処理の情報とを呼び出し、当該呼び出した情報に基づく処理を、前記ユーザの指示に基づいて選択された対象画像に対して実行する手段と、を有することを特徴とする。
【手続補正６】
【補正対象書類名】明細書
【補正対象項目名】００１３
【補正方法】変更
【補正の内容】
【００１３】
上記課題を解決するために、本発明のコンピュータ読取可能な記憶媒体は、ユーザの指示に従って、画像の配置位置を示す少なくとも１つの枠をプレビューウィンドウ上に表示し、当該枠に対して複数の編集処理を対応付け、画像を選択するときの選択条件を決定するステップと、前記配置位置の情報と前記枠に対応付けられた編集処理の情報と前記選択条件の情報とを、１つの識別子に対応付けて登録するステップと、登録されている複数の識別子をメニュー表示するステップと、前記メニュー表示された複数の識別子の中から、ユーザの選択指示に基づいて、ユーザ所望の識別子を特定するステップと、当該特定されたユーザ所望の識別子に対応づけて登録されている配置位置の情報と編集処理の情報と選択条件の情報とを呼び出し、当該呼び出した情報に基づく処理を画像に対して実行するステップと、の各ステップをコンピュータに実行させるためのプログラムを格納する。
【手続補正７】
【補正対象書類名】明細書
【補正対象項目名】００１４
【補正方法】変更
【補正の内容】
【００１４】
上記課題を解決するために、本発明のコンピュータ読取可能な記憶媒体は、ユーザの指示に従って、画像の配置位置を示す少なくとも１つの枠をプレビューウィンドウ上に表示し、当該各枠に対して対応付ける複数の編集処理を決定するステップと、前記配置位置の情報と前記各枠に対応付けられた編集処理の情報とを、１つの識別子に対応付けて登録するステップと、登録されている複数の識別子をメニュー表示するステップと、前記メニュー表示された複数の識別子の中から、ユーザの選択指示に基づいて、ユーザ所望の識別子を特定するステップと、ユーザの指示に基づいて、対象画像を選択するステップと、当該特定されたユーザ所望の識別子に対応づけて登録されている配置位置の情報と編集処理の情報とを呼び出し、当該呼び出した情報に基づく処理を、前記ユーザの指示に基づいて選択された対象画像に対して実行するステップと、の各ステップをコンピュータに実行させるためのプログラムを格納する。
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】削除
【補正の内容】
【手続補正１８】
【補正対象書類名】明細書
【補正対象項目名】００２５
【補正方法】削除
【補正の内容】
【手続補正１９】
【補正対象書類名】明細書
【補正対象項目名】００２６
【補正方法】削除
【補正の内容】
【手続補正２０】
【補正対象書類名】明細書
【補正対象項目名】００２７
【補正方法】削除
【補正の内容】
【手続補正２１】
【補正対象書類名】明細書
【補正対象項目名】００２８
【補正方法】削除
【補正の内容】
【手続補正２２】
【補正対象書類名】明細書
【補正対象項目名】００４７
【補正方法】変更
【補正の内容】
【００４７】
登録ボタン４４が指示された場合（Ｓ４）には、その時点でレイアウトビュー表示ウインドウ４３に表示されている画像を配置する位置と編集処理からなるレイアウト情報、印刷設定リストボックス１９に表示されている印刷設定情報、写真の大きさボックスに表示されている写真の大きさ情報、用紙選択ボックスに表示されている用紙選択情報、画像の数ボックスに表示されている画像の数情報、磁気情報ボックス４１に表示されている磁気情報、画像付帯情報ボックス４２に表示されている画像付帯情報を、新規レイアウト名称ボックス４０に表示されているレイアウト名称と対応付けてメモリー４に記憶する（Ｓ５）。尚、メモリー４に登録するレイアウト情報とは、レイアウトの各種情報を画像を表示したプレビューウインドウ上で指示した場合であっても、その画像を除き、指示された編集の種類とレベル（例えば拡大や縮小のパーセントなどのパラメータ）のみとする。レイアウト名称は、上記の各情報を呼び出すための識別子として機能するものであって、キーボードやソフトキー等により入力される所望の文字列でも数字列であっても良い。削除ボタン４５が指示された場合には、登録画面（図８）で入力される度にメモリー４に格納された各情報をメモリー４から全て消去し、編集画面（図７）に戻る。また、キャンセルボタンが指示された場合にも、登録画面（図８）が表示されてから新たに入力され、メモリー４に格納された情報をメモリー４から消去し、編集画面（図７）に戻る。